(57)【要約】【課題】自動絞り手段を備えたレンズ部を具備したカメラ装置において適切に照明制御を行う。【解決手段】自動絞り手段１１を有するレンズ部１と、前記レンズ部１を介して到来するイメージを映像信号として取り込む撮像手段２１と、前記自動絞り手段１１による開閉量情報を検出し、被写体を照明する照明装置１０の点灯消灯を制御する制御手段２３とを具備する。【選択図】図１
2008060795.tif 000002
【特許請求の範囲】
【請求項１】
自動絞り手段を有するレンズ部と、
前記レンズ部を介して到来するイメージを映像信号として取り込む撮像手段と、
前記自動絞り手段による開閉量情報を検出し、被写体を照明する照明装置の点灯消灯を制御する制御手段と
を具備することを特徴とするカメラ装置。
【請求項２】
撮像手段は電子シャッタ機能を備え、
前記制御手段は、前記電子シャッタ機能によりシャッタ時間が閾値以上に長くされる場合に照明装置の点灯を制御し、シャッタ時間が閾値より短くされる場合に照明装置の消灯を制御することを特徴とする請求項１に記載のカメラ装置。
【請求項３】
撮像手段は電子シャッタ機能を備え、
前記制御手段は、前記電子シャッタ機能によりシャッタ時間が第１の閾値以上に長くされる前に照明装置の点灯を制御することを特徴とする請求項１または２に記載のカメラ装置。
【発明の詳細な説明】
【技術分野】
【０００１】
この発明は、レンズ部に絞り手段を有するカメラ装置に関し、被写体に対する照明の点灯消灯制御を適切に行うことのできるカメラ装置に関するものである。
【背景技術】
【０００２】
従来、ＣＣＴＶ監視システムにおいては、カメラ装置に自動絞りレンズ及び電子シャッタが備えられており、これらを制御して光量調整が行われている。一方、夜間などの撮影に備えるため、照明装置が例えばカメラ装置に併設されており、この照明装置の点灯消灯制御は監視室の監視員などが手動により行っている。
【０００３】
このため、夜間となって映像信号のレベルが低下すると、電子シャッタによるシャッタ時間が長くなり、監視対象の被写体によっては映像がぼけたり写らなくなるなどの問題が起こることがあった。
【０００４】
これに対し、特許文献１には、明るさ判定部でＡＧＣ部のＡＧＣ電圧とシャッタ−制御部からのシャッタ−速度とから視野の明るさを判定し、補助照明の点灯／消灯を制御することが開示されている。
【特許文献１】特開２０００−３４４９５６号公報
【発明の開示】
【発明が解決しようとする課題】
【０００５】
本発明は上記のような現状に対し、自動絞り手段を備えた場合に、より適切に照明装置の点灯消灯制御を可能とすることを課題とし、自動絞り手段を備えたレンズ部を具備したカメラ装置において適切に照明制御を行うことを目的とする。
【課題を解決するための手段】
【０００６】
本発明に係るカメラ装置は、自動絞り手段を有するレンズ部と、前記レンズ部を介して到来するイメージを映像信号として取り込む撮像手段と、前記自動絞り手段による開閉量情報を検出し、被写体を照明する照明装置の点灯消灯を制御する制御手段とを具備することを特徴とする。
【０００７】
本発明に係るカメラ装置では、撮像手段は電子シャッタ機能を備え、前記制御手段は、前記電子シャッタ機能によりシャッタ時間が閾値以上に長くされる場合に照明装置の点灯を制御し、シャッタ時間が閾値より短くされる場合に照明装置の消灯を制御することを特徴とする。
【０００８】
本発明に係るカメラ装置では、撮像手段は電子シャッタ機能を備え、前記制御手段は、前記電子シャッタ機能によりシャッタ時間が第１の閾値以上に長くされる前に照明装置の点灯を制御することを特徴とする。
【発明の効果】
【０００９】
本発明に係るカメラ装置は、自動絞り手段による開閉量情報を検出し、被写体を照明する照明装置の点灯消灯を制御するので、自動絞り手段による開閉量情報が上限となる前に照明装置を点灯させることが可能となり、適切な照明制御が可能となる。
【発明を実施するための最良の形態】
【００１０】
以下添付図面を参照して、本発明の実施例に係るカメラ装置を説明する。図１には、カメラ装置を用いた監視システムの構成が示されている。カメラ装置は、レンズ部１とカメラ部２とを有しており、監視室には、表示部４と操作器５が設置されている。表示部４及び操作器５と、カメラ装置とは伝送路などの伝送部３により接続されている。
【００１１】
レンズ部１には、自動絞り手段１１と自動絞り制御手段１２が備えられている。自動絞り手段１１は、絞り機構により光量を調整する部分であり、自動絞り制御手段１２は自動絞り手段１１に対する制御を行うものである。即ち、自動絞り制御手段１２は後に述べるコンポジット・ビデオ信号（映像信号）を映像信号処理手段２２から受け取り、このレベルが所定の範囲になるように自動絞り手段１１に対する絞りの開閉制御を行っている。自動絞り手段１１による開閉量情報は、この自動絞り制御手段１２から制御手段１３へ送られる。
【００１２】
カメラ部２には、撮像手段２１、映像信号処理手段２２、制御手段２３が備えられている。撮像手段２１は撮像素子とシャッタ機能とを備え、自動絞り手段１１を介して到来するイメージを光電変換して出力するものである。映像信号処理手段２２は、光電変換された信号をディジタル化し更にコンポジット・ビデオ信号（映像信号）に変換して出力するものである。このコンポジット・ビデオ信号（映像信号）は、伝送部３を介して監視室の表示部へ送られると共に、制御手段２３及び自動絞り制御手段１２へ送られる。
【００１３】
制御手段２３は、コンポジット・ビデオ信号と、自動絞り制御手段１２から送られる自動絞り手段１１による開閉量情報を受け取っている。制御手段２３は、コンポジット・ビデオ信号のレベルに基づき撮像手段２１のシャッタ時間を制御する。また、制御手段２３は、自動絞り制御手段１２から送られる開閉量情報に基づき照明装置１０の点灯消灯を制御する。
【００１４】
具体的には、制御手段２３は、自動絞り制御手段１２から送られる開閉量情報が増加してゆき、その最大値ＬMAXとなる前の第１の閾値Ｌ1以上となると照明装置１０を点灯する制御信号を出力する。また、制御手段２３は、自動絞り制御手段１２から送られる開閉量情報が減少してゆき、第１の閾値Ｌ1より小さい第２の閾値Ｌ2以下となると照明装置１０を消灯する制御信号を出力する。このように閾値にヒステリシスを持たせている。
【００１５】
以上の通りに構成されたカメラ装置による照明装置１０の点灯消灯制御を図２に基づき説明する。夜間に向かって周囲が暗くなって行くに連れて、自動絞り手段１１による開閉量は図２（ａ）に示されるように大きくされてゆき、その最大値ＬMAXへ近付いて行くことになる。
【００１６】
その最大値ＬMAXとなる前の第１の閾値Ｌ1以上となると、照明装置１０を点灯する制御信号が出力され、照明装置１０は図２（ｂ）に示す通り点灯となる。最大の絞りの状態が続いた後、例えば夜が明ける場合などには、自動絞り手段１１による開閉量は図２（ａ）に示されるように小さくされてゆき、第１の閾値Ｌ1へ近付き、これを超えて低下して、第２の閾値Ｌ2以下となると、照明装置１０を消灯する制御信号が出力され、照明装置１０は図２（ｂ）に示す通り消灯となる。
【００１７】
斯して、本実施例では、自動絞り手段１１による開閉量が、その最大値ＬMAXとなる前に照明装置１０が点灯されるので、電子シャッタによる長いシャッタ時間の採用がなされることを防止し、監視対象の被写体によっては映像がぼけたり写らなくなるなどの問題が生じることはない。なお、本実施例では、自動絞り制御手段１２を別個の構成としたが、制御手段２３に含めて構成しても良い。
【００１８】
なお、操作部５からの制御信号に応じて制御手段２３が照明装置１０の点灯消灯を制御する手法を併用しても良い。また、操作部５からのの制御信号は、図示しないがカメラの旋回やズームの制御に用いられるものである。
【図面の簡単な説明】
【００１９】
【図１】本発明に係るカメラ装置の実施例を用いて構成した監視システムの構成図。
【図２】本発明に係るカメラ装置の実施例による照明装置の点灯消灯動作を示す図。
【符号の説明】
【００２０】
１  レンズ部 
２  カメラ部 
３  伝送部 
４  表示部 
５  操作部 
１１  自動絞り手段 
１２  自動絞り制御手段 
２１  撮像手段 
２２  映像信号処理手段 
２３  制御手段
【図１】
2008060795.tif 000003
【図２】
2008060795.tif 000004